(57)【要約】【課題】大きな取り出し口を確保することで、残量が少なくなっても物品を容易に取り出すことができるようにするとともに、取り出し時における姿勢の条件を緩和できる包装箱を提供する。【解決手段】直方体形状の包装箱において、一の面に、これとつながる他の面との稜線から広がる第１開放部を形成する。上記他の面は、上記一の面に対向する対向面側の部分と、この部分に対して包装箱の外方に屈曲可能な、上記一の面側の部分と、に区画される。上記他の面は、包装箱の内面に沿って折り曲げられ、上記一の面側に位置する第１部分と、対向面の側に位置し、包装箱の内面に接着された第２部分と、を有する折り曲げ部を備える。第１部分および第２部分は、これらを分離する破断操作を受容可能な第２破断線を介して接続され、第１部分は、上記一の面との角部にある一端部および上記一の面部から離れるように延在して前記第２破断線につながる縁辺を有する。【選択図】図１
2019099271.tif 000002
【特許請求の範囲】
【請求項１】
対向する矩形状の第１面部および第２面部と、前記第１面部および前記第２面部をつないで対向する矩形状の第３面部および第４面部と、前記第１面部および前記第２面部をつないで対向する対向する矩形状の第５面部および第６面部と、を含む直方体形状の包装箱であって、
前記第１面部には、前記第３面部の近傍で前記包装箱の一部を開放するための破断操作を受容する第１破断線が、前記第１面部の面内に延び、且つ前記第３面部に対する２つの角部をつなぐように設けられ、
前記第３面部は、前記第２面部の側の部分と、該部分に対し前記包装箱の外方に屈曲可能な、前記第１面部の側の部分と、に区画されており
前記第３面部は、前記第５面部および前記第６面部の内面に沿ってそれぞれ折り曲げられた一対の折り曲げ部を有し、
該一対の折り曲げ部のそれぞれは、前記第１面部の側に位置する第１部分と、前記第２面部の側に位置し、対応する前記第５面部または前記第６面部に接着された第２部分とを有し、前記第１部分および前記第２部分は、前記屈曲可能な部分の屈曲に伴って破断する第２破断線を介して接続され、
前記第１部分は、前記第１面部と前記第３面部の双方から離れるように延在して前記第２破断線につながる縁辺を有する、
ことを特徴とする包装箱。
【請求項２】
前記第１破断線を破断して前記包装箱の一部を開放する操作に伴って第１の開封状態を得、さらに、前記屈曲可能な部分を屈曲させる操作に伴って第２の開封状態を得ることが可能であり、
前記第２破断線は前記屈曲させる操作に伴って破断されるように形成され、当該破断に伴って、前記屈曲可能な部分とともに、前記第１部分が前記包装箱の外方へと屈曲することが許容される、
ことを特徴とする請求項１に記載の包装箱。
【請求項３】
前記縁辺は、前記第１部分につながり、前記第１面部の内面と干渉せずに前記屈曲を許容する第１の縁辺部を有することを特徴とする請求項２に記載の包装箱。
【請求項４】
前記縁辺は、さらに、前記第１の縁辺部から連続して前記第２破断線につながるように設けられ、前記第１面部の内面と当接して前記屈曲を制限する第２の縁辺部を有することを特徴とする請求項３に記載の包装箱。
【請求項５】
前記第１の縁辺部は、円弧状縁辺部であることを特徴とする請求項４に記載の包装箱。
【請求項６】
前記第２の縁辺部は、前記円弧状縁辺部から接線方向に延在する直線状縁辺部であることを特徴とする請求項５に記載の包装箱。
【請求項７】
前記第５面部および前記第６面部の少なくとも一方に、前記包装箱の内方に折り曲げ可能に形成され、当該折り曲げによって前記第１部分に干渉する係止部が設けられていることを特徴とする請求項１ないし６のいずれか一項に記載の包装箱。
【請求項８】
請求項１ないし７のいずれか一項に記載の包装箱を形成するためのブランクシートであって、
前記第１面部となる領域には前記第１破断線が設けられ、
前記第３面部に連続して前記折り曲げ部となる領域は、それぞれ前記第１面部および前記第２面部の側に位置して前記第１部分となる領域および前記第２部分となる領域とに、前記第２破断線によって区画されており、
前記第１部分となる領域は前記縁辺となる部分を有している、
ことを特徴とするブランクシート。
【請求項９】
前記第３面部には、ヒンジ線を中心として回動可能なロック領域形成部であって、前記第１面部と前記第３面部との稜線を中心として前記第１破断線が区画する領域を第３面部上に折り畳んだときに、その自由端側となる部分と係合して前記領域をロック可能な形状および寸法を有しているロック領域形成部を画定する第３破断線が形成されている、ことを特徴とする請求項１ないし７のいずれか一項に記載の包装箱。
【請求項１０】
前記ロック領域形成部は、前記ヒンジ線は、前記屈曲可能な部分を屈曲させる際の回動中心となる屈曲線上に位置し、前記第３破断線は、前記第２面部の側の部分の側に凸となるように設けられ、前記第３破断線の破断によって形成される開口内に前記自由端側となる部分を受容させることができることを特徴とする請求項９に記載の包装箱。
【請求項１１】
請求項９または１０に記載の包装箱を形成するためのブランクシートであって、
前記第１面部となる領域には前記第１破断線が設けられ、
前記第３面部に連続して前記折り曲げ部となる領域は、それぞれ前記第１面部および前記第２面部の側に位置して前記第１部分となる領域および前記第２部分となる領域とに、前記第２破断線によって区画されており、
前記第１部分となる領域は前記縁辺となる部分を有しており、
前記第３面部となる領域には前記第３破断線が設けられている、
ことを特徴とするブランクシート。
【発明の詳細な説明】
【技術分野】
【０００１】
本発明は、包装箱および該包装箱用のブランクシートに関し、特に収容している物品の取り出し性を改善した包装箱および該包装箱用のブランクシートに関するものである。
【背景技術】
【０００２】
個包装またはパック詰めされた飲料原料や菓子類など（以下、物品という）を包装・収容する包装箱には多くのものがある。かかる包装箱は、天面に物品とほぼ同程度のサイズを有する取り出し口を設けたものが一般的である。しかし収容する物品の残量が少なくなると、ユーザは包装箱の底面にまで手指を挿入しなければならず、取り出し口のサイズによってはその取り出し動作が円滑に行われなくなる。
【０００３】
一方、特許文献１には、底壁に設けられたヒンジ形成縁部を中心として回動可能な開放フラップ一側壁に備え、その開放フラップの開放を行うことで側壁の底壁側に取り出し口が形成されるようにした構成が開示されている。この構成は、収納している物品の残量が少なくなっても、物品（特にビスケットの円筒状パック）の取り出し動作を容易にするものと考えられる。
【先行技術文献】
【特許文献】
【０００４】
【特許文献１】特開昭６２−２５１３４１号公報
【発明の概要】
【発明が解決しようとする課題】
【０００５】
しかしながら、特許文献１の構成でも、開放されるのはフラップが設けられた側壁の部分に限られ、取り出し口を大きく確保するのにも限界がある。また、その図２に記載された姿勢以外では、取り出し性を向上するという効果を実現できないため、取り出し時におけるカートン箱の姿勢は限定される。
【０００６】
よって本発明は、大きな取り出し口を確保することで、残量が少なくなっても物品を容易に取り出すことができるようにするとともに、取り出し時における姿勢の条件を緩和することができるようにすることを目的とする。
【０００７】
また、本発明の他の目的は、物品の良好な取り出し性を維持できる構成を提供することにある。
【課題を解決するための手段】
【０００８】
そのために、本発明は、対向する矩形状の第１面部および第２面部と、前記第１面部および前記第２面部をつないで対向する矩形状の第３面部および第４面部と、前記第１面部および前記第２面部をつないで対向する対向する矩形状の第５面部および第６面部と、を含む直方体形状の包装箱であって、
前記第１面部には、前記第３面部の近傍で前記包装箱の一部を開放するための破断操作を受容する第１破断線が、前記第１面部の面内に延び、且つ前記第３面部に対する２つの角部をつなぐように設けられ、
前記第３面部は、前記第２面部の側の部分と、該部分に対し前記包装箱の外方に屈曲可能な、前記第１面部の側の部分と、に区画されており
前記第３面部は、前記第５面部および前記第６面部の内面に沿ってそれぞれ折り曲げられた一対の折り曲げ部を有し、
該一対の折り曲げ部のそれぞれは、前記第１面部の側に位置する第１部分と、前記第２面部の側に位置し、対応する前記第５面部または前記第６面部に接着された第２部分とを有し、前記第１部分および前記第２部分は、前記屈曲可能な部分の屈曲に伴って破断する第２破断線を介して接続され、
前記第１部分は、前記第１面部と前記第３面部の双方から離れるように延在して前記第２破断線につながる縁辺を有する、
ことを特徴とする。
【０００９】
また、本発明は、上記包装箱を形成するためのブランクシートであって、
前記第１面部となる領域には前記第１破断線が設けられ、
前記第３面部に連続して前記折り曲げ部となる領域は、それぞれ前記第１面部および前記第２面部の側に位置して前記第１部分となる領域および前記第２部分となる領域とに、前記第２破断線によって区画されており、
前記第１部分となる領域は前記縁辺となる部分を有している、
ことを特徴とする。
【００１０】
さらに上記包装箱において、前記第３面部には、ヒンジ線を中心として回動可能なロック領域形成部であって、前記第１面部と前記第３面部との稜線を中心として前記第１破断線が区画する領域を第３面部上に折り畳んだときに、その自由端側となる部分と係合して前記領域をロック可能な形状および寸法を有しているロック領域形成部を画定する第３破断線を形成することができる。この場合、上記ブランクシートは、前記第３面部となる領域に前記第３破断線が設けられているものとすればよい。
【発明の効果】
【００１１】
本発明によれば、第１破断線の破断によって取り出し口を形成した後、第３面部の第１面部側部分を屈曲させてさらに大きな取り出し口を確保することで、残量が少なくなっても物品を容易に取り出すことができるようになる。また、取り出し時における包装箱の姿勢の条件を緩和することができる。
【００１２】
さらに、ロック形成領域を設ければ、第３面部上に折り畳まれた領域が復原力によって変位することが阻止され、良好な取り出し性を維持することができる。
【図面の簡単な説明】
【００１３】
【図１】本発明の第１の実施形態に係る包装箱の全体構成を示す斜視図である。
【図２】図１の構成における第２開放部を説明するために、図１のＩＩ−ＩＩ線に沿って取った断面図である。
【図３】（ａ）〜（ｃ）は、図１の包装箱の基本的な動作を説明するための断面図である。
【図４】（ａ）および（ｂ）は、図１の包装箱からの物品の取り出し態様の一例を説明するための斜視図である。
【図５】図１の包装箱に付加される係止部を説明するための斜視図である。
【図６】（ａ）および（ｂ）は、図１の包装箱からの物品の取り出し態様の他の例を説明するための斜視図である。
【図７】図１に示した包装箱を組み立てるためのブランクシートの平面図である。
【図８】本発明の第２の実施形態に係る包装箱の全体構成を示す斜視図である。
【図９】（ａ）および（ｂ）は、図８の包装箱の基本的な動作を説明するための断面図である。
【図１０】図８の包装箱を組み立てるためのブランクシートの一例を示す平面図である。
【図１１】図８の包装箱を組み立てるためのブランクシートの他の例を示す平面図である。
【図１２】（ａ）および（ｂ）は、第２の実施形態の変形例に係る包装箱の構成および動作を説明するための斜視図である。
【図１３】図１２（ａ）の包装箱を組み立てるためのブランクシートの一例を示す平面図である。
【発明を実施するための形態】
【００１４】
以下、図面を参照して本発明を詳細に説明する。なお、包装箱の材質としては、シングルフルートの両面段ボール原紙を使用できるが、これに限らず、板紙や、複数回にわたって反復使用可能なプラスチックなどの材料を用いたもので構成することも可能である。また、本発明に係る包装箱は、包装・収納する対象が限定されるものではない。しかし収納時の姿勢に制限がない（天地を問わない）物品、例えばパック詰めされた粉末状、顆粒状、固体状またはゲル状の飲料原料その他の食品（コーヒー、茶、スープ類、菓子類など）の収納用として特に有効なものである。
【００１５】
１．第１の実施形態
（構成）
図１は、本発明の第１の実施形態に係る包装箱の外観構成を示す斜視図、図２は、実施形態の主要部の構成を説明するために、図１におけるＩＩ−ＩＩ線に沿って取った断面図である。
【００１６】
本実施形態の包装箱は、対向する矩形状の第１面部１および第２面部２と、第１面部１および第２面部２をつないで対向する矩形状の第３面部３および第４面部４と、第１面部１および第２面部２をつないで対向する矩形状の第５面部５および第６面部６と、を含む直方体形状を有する。しかし包装箱の形状としては、図示の直方体形状のもののみに限られず、例えばすべての面が合同である立方体形状のものであってもよい。また、図１は、第１面部１が天面、第２面部２が底面となる姿勢を示しているが、図６について後述するように、第３面部３が天面、第４面部４が底面となる姿勢でも使用可能であり、本実施形態は収容する物品の取り出し時の姿勢の制限を緩和することができるものである。
【００１７】
本実施形態では、図７について後述するように、第２面部２、第３面部３、第１面部１および第４面部４が連続して一体に形成され、第２面部２と第４面部４とは、第２面部２に隣接して設けた接着部（のりしろ領域）２４によって連結される。一方、第５面部５および第６面部６は、第１面部１および第２面部２の側方に一体に形成されたそれぞれ２つの部分で形成される。すなわち、第５面部５は、第１面部１の側の部分５ａと第２面部２の側の部分５ｂとが突き合わされて形成され、第６面部６は第１面部１の側の部分６ａと第２面部２の側の部分６ｂとが突き合わされて形成される。そして、突き合わせた部分に例えば粘着テープ（不図示）を貼着することで一体化することができる。
【００１８】
第１面部１には、第３面部３の近傍で包装箱の一部を開放する第１開放部１１が設けられる。
【００１９】
第１開放部１１は、第１面部１と第３面部３との稜線１３と、第１面部１の面内に延び、第３面部３に対する２つの角部をつなぐように形成された第１破断線１１ａとによって区画されている。本実施形態において、第１開放部１１は、第１面部１と第２面部との稜線１３を下底とする等脚台形を基本形状としており、その等脚台形の上底および２つの斜辺（脚）に相当する部分が第１破断線１１ａとなっている。また、等脚台形の上底に相当する部分は、その両端が山部となった曲線で構成されている。中間の谷部に対向して、破断操作を開始する際の起点となる破断開始領域１１ｂが設けられてもよい。第１破断線１１ａおよび破断開始領域１１ｂには、ミシン目、または、直線状もしくはカギ形状のスリットなど、破断操作を受容するための切れ目が設けられている。破断線１１ａは直線または滑らかな曲線をなすように形成されていてもよいし、部分的に切れ目を設けたジグザグ形状に形成されていてもよい。さらに、第１開放部１１の形状は、図１に示したような等脚台形を基本形状とするものに限られない。例えば、三角形、四角形、半円形その他の適宜の形状であってもよいし、あるいはそれを基本形状とするものであってもよい。但し、第１面部１と第３面部３との２つの角部をつなぐように設けられることが、大きな取り出し口が確保されることになるので好ましい。
【００２０】
第３面部３および第４面部４は、第５面部５および第６面部６の内面に沿って折り曲げられた状態で延在する一対の折り曲げ部３０および４０をそれぞれ有している。折り曲げ部４０は、一体に形成されて第５面部５および第６面部６の内面に接着されている。一方、折り曲げ部３０については、第１面部１の側に位置する第１部分３１と、第２面部２の側に位置し、対応する第５面部５または第６面部６に接着された第２部分３２とが、分離可能に一体化されたものである。第３面部３は、第１面部１の側の部分（以下、第１面部側部分という）３ａと、第２面部２の側の部分（以下、第２面部側部分という）３ｂと、に区画されている。そして、後述するように、第１面部側部分３ａは、第２面部側部分３ｂに対して屈曲線３ｃをヒンジとして外方に屈曲可能である。そして、折り曲げ部３０は、当該折り曲げ操作に伴って第１部分３１と第２部分３２とが容易に分離されるようにするために、スリット等を形成した第２破断線３３を介して接続されることで構成されている。
【００２１】
屈曲線３ｃは、屈曲の操作をし易くするために、第３面部３の外面や内面に加工された連続するけい線または断続するスリットのように、顕在化した折り曲げ線として形成されていてもよい。しかし包装箱の材質として段ボールが用いられ、屈曲線３ｃとなる部位がフルートの延在方向に一致しているのであれば、必ずしも顕在化したものでなくてもよい。
【００２２】
第１部分３１は、第３面部３につながる縁辺３１ａ、および縁辺３１ｂを有する。縁辺３１ｂは、第１面部１と第３面部３との双方から離れるように延在して第２破断線につながる。本実施形態において、縁辺３１ｂは、縁辺３１ａの長さｈと等しい曲率半径を持つ円弧状縁辺部３１ｂ１と、円弧状縁辺部３１ｂ１から接線方向に延在する直線状縁辺部３１ｂ２とを有している。以下では、第１面部側部分３ａおよび第１部分３１をまとめて第２開放部と称することもある。そして、円弧状縁辺部３１ｂ１の中心角は、第１部分３１を第２部分３２に対してどれほど屈曲させるか、すなわち第２開放部が形成する開放面積をどれほどとするかに応じて適宜定め得る。図１および図２に示した実施形態では、中心角をほぼ９０度とし、円弧状縁辺部３１ｂ１が四分の一円の円弧をなすようにしている。
【００２３】
（包装箱の開封操作）
図３（ａ）〜（ｃ）、図４（ａ）および（ｂ）を用いて本実施形態に係る包装箱の開封動作を説明する。本実施形態では、第１および第２開放部によって２段階の開封状態が得られるようにしている。
【００２４】
まず、包装箱の初期の使用時（物品Ｐの取り出し時）には、第１破断線１１ａを破断し、包装箱の一部すなわち第１開放部１１を開放する操作を行って第１の開封状態を得る（図３（ａ）、図４（ａ））。このとき、第１面部１には、等脚台形状の第１開放部の斜辺の外側の部分が残ることになる。
【００２５】
いくつかの物品Ｐが取り出されて第１の開封状態では物品Ｐが取り出しにくくなった場合には、屈曲線３ｃをヒンジ線として第１面部側部分３ａを外方に屈曲させる操作を行う。この操作に伴って第２破断線３３が破断されて第１部分３１および第２部分３２が分離する。円弧状縁辺部３１ｂ１は縁辺３１ａの長さｈと等しい曲率半径を持ち、屈曲操作の途中では第１部分３１の円弧状縁辺部３１ｂ１が第１面部１の内面と干渉することがないので、屈曲操作は円滑に行われる（図３（ｂ））。さらに屈曲操作が継続されると、図１に示した等脚台形の斜辺の外側で直線状縁辺部３１ｂ２が第１面部１の内面に当接し、それ以上の屈曲操作が阻止されて、第２の開封状態を得る（図３（ｃ）、図４（ｂ））。
【００２６】
なお、この第２の開封状態を維持するために、第５面部５および第６面部６の少なくとも一方には、包装箱の内方に折り曲げ可能に形成された係止部を付加することができる。図５は第５面部５に係止部５１を設けた例を示しており、第２の開封状態を得た後にその折り曲げを行うことで第１部分３１に干渉させ、第１面部側部分３ａの復原による取り出し口の狭小化を阻止することができる。
【００２７】
また、以上の説明では、第１の開封状態（図３（ａ）、図４（ａ））とした後、物品Ｐの残量が少なくなったときに第２の開封状態（図３（ｃ）、図４（ｂ））を得るものとしたが、開封の仕方はユーザの任意であり、初期の使用開始時に第１および第２の開放操作を行うこともできるのは勿論である。いずれにしても、本実施形態によれば、図４（ａ）と図４（ｂ）との比較から明らかなように、第２の開封状態では包装箱が大きく開放され、従って、物品残量Ｐが少なくなっても十分な取り出し性を確保できるようになる。
【００２８】
さらに、本実施形態の包装箱は、第３面部３が天面、第４面部４が底面となる姿勢でも使用可能である。すなわち、上述と同様の第１開放部１１の開放操作および第１面部側部分３ａの屈曲操作を行うことで、図６（ａ）に示す第１の開封状態および同図（ｂ）に示す第２の開封状態を得ることができる。このように本実施形態は、収容する物品の取り出し時の姿勢が限定されず、２つの姿勢での取り出しが許容されるものである。
【００２９】
（ブランクシート）
図７は、図１に示した実施形態に係る包装箱を組み立てるためのブランクシートの平面図であり、ブランクシート内の各領域には、上述した各面部あるいは折り曲げ部に対応した符号を、下線を付して示している。図７において、実線はブランクシートの外形を、不連続な実線は破断線１１ａ，３３を示している。また、破線は折り曲げ線を示し、折り曲げを容易にするためのけい線加工が施されているが、一点鎖線で示す屈曲線３ｃに関しては、上述したように、顕在化した折り曲げ線を施すか否かは任意である。
【００３０】
図７のブランクシートは、第２面部２、第３面部３、第１面部１および第４面部４となる領域が連続して一体に形成され、第２面部２となる領域にはのりしろ領域２４が付加されている。第５面部５および第６面部６となる領域は、第１面部１および第２面部２となる領域の側方に一体に形成されたそれぞれ２つの部分（５１ａおよび５１ｂ；６１ａおよび６１ｂ）で形成される。
【００３１】
図示のブランクシートは、図１の包装箱を形成するために、主として、
・第１面部１となる領域に、第２面部３との稜線１３となる折り曲げ線および第１破断線１１ａで区画されて第１開放部１１となる領域が設けられていること、
・第３面部３に連続して折り曲げ部３０となる領域は、それぞれ第１面部１および第２面部２の側に位置して第１部分３１となる領域および第２部分３２となる領域とに、第２破断線３３を介して接続されていること、
・第１部分３１となる領域は、第１面部１となる領域の角部から縁辺３１ａとは非平行に延在する部分３１ｂ１を有して第２破断線３３につながる縁辺３１ｂとなる部分を有していること、
が特徴的な構成である。
【００３２】
（第１の実施形態の変形例）
本発明は、上述した実施形態および随所に述べた変形例に限られない。例えば、上述の実施形態では、第１面部１に設けた第１開放部１１と、第３面部３に設けた第２開放部との組み合わせ（これらを総称して開放部という）を説明した。しかしこれに加えて、別の開放部を設けることもできる。例えば、第１面部１から第４面部４にわたる開放部をさらに設けてもよい。この場合は、図７の第１面部１となる領域に付した、ブランクシート長手方向の中心線１５に関して線対称となるように、第１面部１および第４面部４にそれぞれ第１および第２開放部を設ければよい。あるいは、第２面部２から第４面部４にわたるような開放部を設けてもよい。この場合は、例えば、第３面部３、第１面部１、第４面部４、第２面部２となる領域およびのりしろ領域２４をこの順で連続して一体に形成し、実施形態で説明した開放部と１８０度回転対象となるように第２面部２から第４面部４にわたる開放部を設ければよい。
【００３３】
また、上述した実施形態においては、第１面部側部分３ａの屈曲操作を許容する機能を持つ円弧状縁辺部３１ｂ１と、屈曲範囲を制限する機能を持つ直線状縁辺部３１ｂ２とを有する第１部分３１を説明した。しかしそれぞれの機能を果たすことができるのであれば、それらの縁辺部の形状は適宜定め得るものである。さらに、屈曲範囲を制限する必要がなければ、直線状縁辺部３１ｂ２は不要となるので、それとの干渉が生じる部分が残るように第１開放部１１を形成する必要もない。
【００３４】
２．第２の実施形態
図８は、本発明の第２の実施形態に係る包装箱の外観構成を示す斜視図であり、図１の実施形態と同様に構成された部分および同様の機能を果たす部分には対応箇所に同一の符号を付してある。図８の実施形態では、第１面部１に、第１の実施形態の第１開放部１１よりも高さ方向の寸法を大きくした等脚台形を基本形状とする第１開放部１１１が形成される一方、第３面部３には、第１開放部１１１をロックしてその開放状態を維持するためのロック領域形成部１３７が設けられている。
【００３５】
本実施形態のロック領域形成部１３７は、屈曲線３ｃ上に位置してヒンジ線となる部分と、当該部分から第２面部側部分３ｂの側に凸状に形成され第３破断線１３５と、によって画定される。第３破断線１３５は、第１破断線１１ａが区画する領域すなわち第１開放部１１１の、第４面部４に向かう方向における先端側部分（第１破断線１１ａの破断時に自由端側となる部分）の輪郭（外縁）にほぼ対応し、その先端側部分の少なくとも一部と係合して第１開放部１１１をロック可能な形状および寸法を有している。すなわち、ロック領域形成部１３７は、第３破断線１３５が破断されたときに屈曲線３ｃ上のヒンジ線部分を中心として包装箱の内方に回動可能であり、これによって第１開放部１１１の先端側部分を受容可能となる。そして、当受容状態においては、第３破断線１３５の破断によって形成された開口の内縁が第１開放部１１１の先端側部分の外縁に係合する。
【００３６】
図８、図９（ａ）および（ｂ）を用いて本実施形態に係る包装箱の開封動作を説明する。包装箱の初期の使用時（物品の取り出し時）には、第３破断線１３５で画定されるロック領域形成部１３７を矢印Ｐの方向に押し、第３破断線１３５を破断させてロック領域形成部１３７を収納箱内方に押し込む。そして、第１破断線１１ａを破断して第１開放部１１１を開放する操作を行い、Ｒ方向に回動させ、破断によって形成されたロック領域形成部１３７の開口の内側に先端側部分を位置させる。これが本実施形態の第１の開封状態であり（図９（ａ））、このとき、第１開放部１１１の復原力によって先端側部分が開口から離脱することが阻止される。
【００３７】
いくつかの物品が取り出されて第１の開封状態では物品が取り出しにくくなった場合には、第１の実施形態と同様、屈曲線３ｃをヒンジ線として第１面部側部分３ａを外方に屈曲させる操作を行うことで、図１の実施形態と同様の操作を経て、第２の開封状態を得る（図９（ｂ））。このとき、第１開放部１１１の先端部分は包装箱の内側に保持されたままであり、第１開放部１１１の先端側部分が開口から離脱することが阻止される。
【００３８】
図８の実施形態によっても図１の実施形態と同様の効果が得られることに加え、第１開放部１１１の復原力による変位が阻止される。したがって、第１開放部１１１が邪魔にならず、物品の良好な取り出し性が維持されることになる。
【００３９】
図１０は、図８に示した実施形態に係る包装箱を組み立てるためのブランクシートの平面図であり、ブランクシート内の各領域には、図７と同様に、各面部あるいは折り曲げ部に対応した符号を、下線を付して示している。図１０のブランクシートには、第３破断線１３５が追加されている。すなわち、図示のブランクシートは、図７のブランクシートと同様の特徴的な構成に加え、第３破断線１３５が形成されていることにも特徴がある。これらの条件を満たせば、ブランクシートの形状は適宜選択できるものであり、例えば図１１に示すような形状であってもよい。
【００４０】
図８の実施形態では第３面部３の第２面部側部分３ｂの側に凸となるロック領域形成部１３７を設けたが、図１２（ａ）に示すように、第１面部側部分３ａの側に凸となるロック領域形成部３７を設けてもよい。この例のロック領域形成部３７は、屈曲部３ｃと一致させたヒンジ線部分と、そのヒンジ線部分よりも幅が大となる凸状部分を形成する第３破断線３５と、によって画定されている。
【００４１】
包装箱の初期の使用時には、ロック領域形成部３７を矢印Ｐの方向に押し、第３破断線３５を破断させてロック領域形成部３７を収納箱外方に引き出す。そして、第１破断線１１ａを破断して第１開放部１１を開放する操作を行い、Ｒ方向に回動させ、ヒンジ線に沿ったロック領域形成部３７の付け根部分に先端側部分を係合させることで、図１２（ｂ）に示すような第１の開封状態を得る。図示はしないが、図４（ｂ）について説明したような操作を行えば、第１開放部１１の先端側部分をロック領域形成部３７の付け根部分に保持したまま第２の開封状態を得ることができる。この例によっても、第２の実施形態と同様、第１開放部１１が邪魔にならず、物品の良好な取り出し性が維持されることになる。
【００４２】
図１３は、図１２（ａ）に示した包装箱を組み立てるためのブランクシートの一例の平面図である。このブランクシートは、第３破断線３５が追加されていることのほかは図７の構成と同様の構成を有している。
【００４３】
なお、ロック領域形成部１３７または３７の回動の中心となるヒンジ線の位置は屈曲線３ｃと一致していなくてもよく、第１開放部１１１または１１の長さに対応させて、屈曲線３ｃ以外の位置に存在させてもよい。しかしロック部の円滑な変位を行うために別途専用のヒンジ線を設ける工数を追加することを考慮すれば、屈曲部３ｃと一致させることは好ましい。また、ロック領域形成部１３７または３７の形状・寸法は、図８または図１２（ａ）の例に限られず、第１開放部１１１または１１の先端側部分との係合が確保されるものであれば任意所望に定め得ることは勿論である。
【符号の説明】
【００４４】
１〜６  第１〜第６面部
３ａ  第１面部側部分
３ｂ  第２面部側部分
３ｃ  屈曲線
１１、１１１  第１開放部
１１ａ  第１破断線
３０  折り曲げ部
３１  折り曲げ部の第１部分
３１ａ、３１ｂ  縁辺
３１ｂ１  円弧状縁辺部
３１ｂ２  直線状縁辺部
３３  第２破断線
３５、１３５  第３破断線
３７、１３７  ロック領域形成部
【図１】
2019099271.tif 000003
【図２】
2019099271.tif 000004
【図３】
2019099271.tif 000005
【図４】
2019099271.tif 000006
【図５】
2019099271.tif 000007
【図６】
2019099271.tif 000008
【図７】
2019099271.tif 000009
【図８】
2019099271.tif 000010
【図９】
2019099271.tif 000011
【図１０】
2019099271.tif 000012
【図１１】
2019099271.tif 000013
【図１２】
2019099271.tif 000014
【図１３】
2019099271.tif 000015